(57)【要約】【課題】複数の発光ダイオードを配置して光を照射する際に、各発光ダイオードから照射される光を効果的に集光することができる反射板アレイ及び光照射装置を提供する。【解決手段】本発明に係る光照射装置は、基板と、当該基板の一方面に設けられる少なくとも一つの発光ダイオード素子を有する複数の発光ダイオードユニットと、を有する光照射装置に取り付けられる反射板アレイであって、前記基板から立ち上がるように配置され、前記発光ダイオードユニットの周囲を囲んで照射空間を形成する複数の反射ユニットを備え、前記各反射ユニットは、前記各発光ダイオードユニットを囲む複数の反射面を備えている。【選択図】図６
2013171874.tif 000002
【特許請求の範囲】
【請求項１】
基板と、当該基板の一方面に設けられる少なくとも一つの発光ダイオード素子を有する複数の発光ダイオードユニットと、を有する光照射装置に取り付けられる反射板アレイであって、
前記基板から立ち上がるように配置され、前記発光ダイオードユニットの周囲を囲んで照射空間を形成する複数の反射ユニットを備え、
前記各反射ユニットは、前記各発光ダイオードユニットを囲む複数の反射面を備えている、反射板アレイ。
【請求項２】
前記各反射面は、前記基板から傾斜するように延びる少なくとも一つの傾斜部を有しており、
前記複数の反射面の傾斜部によって、前記照射空間の中に前記各発光ダイオードユニットから裾広がりに延びる空間が形成されている、請求項１に記載の反射板アレイ。
【請求項３】
前記各反射ユニットは、前記各発光ダイオードユニットを矩形状に囲む４つの反射面を備えている、請求項１または２に記載の反射板アレイ。
【請求項４】
前記複数の発光ダイオードユニットが前記基板上で第１の方向、及びこれと直交する第２の方向のそれぞれに所定間隔をおいて格子状に配置されている、前記光照射装置に取り付けられる反射板アレイであって、
前記複数の反射ユニットは、前記複数の発光ダイオードユニットと対応するように格子状に配置されている、請求項１から３のいずれかに記載の反射板アレイ。
【請求項５】
前記複数の反射ユニットは、
前記第１の方向において隣接する前記発光ダイオードユニットの第１の隙間のそれぞれ、及び前記第１の方向の両端に配置される複数の第１の板材と、
前記第２の方向において隣接する前記発光ダイオードユニットの第２の隙間のそれぞれ、及び前記第２の方向の両端に配置される複数の第２の板材と、
で構成され、
前記第１の板材は、前記第２の方向に並ぶ複数の前記発光ダイオードユニットの前記反射面を構成し、
前記第２の板材が、前記第１の方向に並ぶ複数の前記発光ダイオードユニットの前記反射面を構成する、請求項４に記載の反射板アレイ。
【請求項６】
前記複数の反射ユニットは一体的に形成されている、請求項１から４のいずれかに記載の反射板アレイ。
【請求項７】
基板と、
前記基板の一方面に設けられ少なくとも一つの発光ダイオード素子を有する複数の発光ダイオードユニットと、
請求項１から５のいずれかに記載の反射板アレイと、
を備えている、光照射装置。
【請求項８】
前記複数の発光ダイオードユニットは、前記基板上で、第１の方向、及びこれと直交する第２の方向のそれぞれに所定間隔をおいて、格子状に配置されており、
前記複数の反射ユニットは、前記複数の発光ダイオードユニットと対応するように格子状に配置されている、請求項６に記載の光照射装置。
【請求項９】
前記基板の一方面側に配置される透明のカバーをさらに備え、
前記基板とカバーとの間に、前記反射板アレイが着脱自在に配置されている、請求項７または８に記載の光照射装置。
【発明の詳細な説明】
【技術分野】
【０００１】
本発明は、反射板アレイ、及びこれを備えた光照射装置に関する。
【背景技術】
【０００２】
従来より、紫外線を発する光源から照射される光を効果的に対象物に照射するために、種々の提案がなされている。例えば、特許文献１では、曲面状の反射板で、紫外線ランプを挟むことで、紫外線を反射し、対象物に対して集光するように構成している。
【先行技術文献】
【特許文献】
【０００３】
【特許文献１】特開２０１１‐１６１９２８号公報
【発明の概要】
【発明が解決しようとする課題】
【０００４】
ところで、近年は、紫外線の光源として、紫外線ランプに代わって紫外線発光ダイオードが用いられるようになってきている。発光ダイオードは、紫外線ランプと異なり、複数のチップを長手方向に配列することで広い範囲に紫外線を照射する。したがって、反射板の配置も紫外線ランプとは異なるため、発光ダイオードに適した集光が可能な反射板が要望されていた。
【０００５】
本発明は、上記問題を解決するためになされたものであって、複数の発光ダイオードを配置して光を照射する際に、各発光ダイオードから照射される光を効果的に集光することができる反射板アレイ、及びこれを備えた光照射装置を提供することを目的とする。
【課題を解決するための手段】
【０００６】
本発明に係る反射板アレイは、基板と、当該基板の一方面に設けられ少なくとも一つの発光ダイオード素子を有する複数の発光ダイオードユニットと、を有する光照射装置に取り付けられる反射板アレイであって、前記基板から立ち上がるように配置され、前記各発光ダイオードユニットそれぞれの周囲を囲んで照射空間を形成する複数の反射ユニットと、を備え、前記各反射ユニットは、前記各発光ダイオードユニットを囲む複数の反射面を備えている。
【０００７】
この構成によれば、各発光ダイオードユニットを囲む複数の反射面を備えているため、発光ダイオードユニットから照射される光を効果的に集光することができる。特に、発光ダイオードユニットが一列に並べられた光照射装置に取り付けられるときには、有利である。この場合、発光ダイオードユニットの列の中央付近は、隣接する発光ダイオードユニットまたは近傍の発光ダイオードユニットからの斜めに照射される光が重なり合うため、照度が高くなるが、列の端部付近では重なり合う光が少なくなるため、照度が低下する傾向にある。これに対して、本発明では、各発光ダイオードユニットの周囲を囲むため、放射状に照射される光を反射し、各発光ダイオードと対向する位置に確実に集光することが可能となる。したがって、列の端部付近でも照度が低下せず、その結果、照度のムラを低減することができる。なお、発光ダイオードユニットとは、少なくとも一つの発光ダイオード素子で構成されるものであり、複数の発光ダイオード素子で構成する場合には、発光ダイオード素子が隣接して配置されるものである。
【０００８】
上記反射アレイにおいて、各反射板に、基板から傾斜するように延びる少なくとも一つの傾斜部を設け、複数の反射板の傾斜部によって、照射空間の中に上記発光ダイオードユニットから裾広がりに延びる空間を形成することができる。このように傾斜部を設けることで、発光ダイオードユニットから照射される光をさらに狭い範囲に集光させやすくなる。
【０００９】
上記各反射ユニットに設けられる反射面の数は特には限定されないが、例えば、各反射ユニットは、各発光ダイオードユニットを矩形状に囲む４つの反射面で構成することができる。
【００１０】
上記反射アレイの複数の反射ユニットは、種々の態様で配置することができるが、例えば、複数の発光ダイオードユニットが基板上で第１の方向、及びこれと直交する第２の方向のそれぞれに所定間隔をおいて格子状に配置された光照射装置に取り付けられる反射板アレイにおいては、次のように構成することができる。すなわち、複数の反射ユニットは、複数の発光ダイオードユニットと対応するように格子状に配置することができる。このように、発光ダイオードユニットを格子状に配置すると、少ない部材で反射ユニットを構成することができる。
【００１１】
上記のように反射ユニットを格子状に配置する場合、例えば、複数の反射ユニットを、第１の方向において隣接する発光ダイオードユニットの第１の隙間のそれぞれ、及び前記第１の方向の両端に配置される複数の第１の板材と、第２の方向において隣接する発光ダイオードの第２の隙間のそれぞれ、及び前記第２の方向の両端に配置される複数の第２の板材と、で構成することができる。そして、第１の板材が、第２の方向に並ぶ複数の発光ダイオードユニットの反射面を構成するようにし、第２の板材が、第１の方向に並ぶ複数の前記発光ダイオードユニットの前記反射面を構成するようにすることができる。
【００１２】
上記複数の反射ユニットは一体的に形成することができる。例えば、樹脂成形などで一体的に形成することができる。
【００１３】
また、本発明に係る光照射装置は、基板と、前記基板の一方面に設けられ少なくとも一つの発光ダイオード素子を有する複数の発光ダイオードユニットと、上述したいずれかに記載の反射板アレイと、を備えている。反射板アレイは、光照射装置の基板やその他の部位に着脱自在に取り付けることができるが、基板やその他の部位に一体的に取り付けることもできる。
【００１４】
この光照射装置において、複数の発光ダイオードユニットは、基板上で第１の方向、及びこれと直交する第２の方向のそれぞれに所定間隔をおいて、格子状に配置することができ、これに伴って、複数の反射ユニットは、複数の発光ダイオードと対応するように格子状に配置することができる。このように、発光ダイオードを格子状に配置すると、少ない部材で反射ユニットを構成することができる。
【００１５】
また、上記光照射装置において、基板の一方面側に配置される透明のカバーをさらに設け、基板とカバーとの間に、複数の反射ユニットを着脱自在に配置することができる。
【発明の効果】
【００１６】
本発明の光照射装置によれば、複数の発光ダイオードユニットを配置して光を照射する際に、発光ダイオードユニットから照射される光を効果的に集光することができる。
【図面の簡単な説明】
【００１７】
【図１】本発明の一実施形態に係る光照射装置の概略構成を示す断面図である。
【図２】図１の紫外線照射部を示す斜視図である。
【図３】図２のＡ−Ａ線断面図である。
【図４】図２のＢ−Ｂ線断面図である。
【図５】反射ユニットの概略構成を示す斜視図である。
【図６】第１板材の平面図である。
【図７】第２板材の平面図である。
【図８】第３板材の平面図である。
【図９】反射アレイの他の例を示す図である。
【図１０】反射アレイの他の例を示す図である。
【図１１】反射アレイの他の例を示す平面図である。
【図１２】反射アレイの他の例を示す平面図である。
【図１３】実施例の斜視図（ａ）、長手方向断面図（ｂ）、及び幅方向断面図（ｃ）である。
【図１４】比較例の斜視図（ａ）、長手方向断面図（ｂ）、及び幅方向断面図（ｃ）である。
【図１５】実施例のシミュレーション結果を示す図である。
【図１６】比較例のシミュレーション結果を示す図である。
【発明を実施するための形態】
【００１８】
以下、本発明の光照射装置を紫外線照射装置に適用した場合の一実施形態について図面を参照して説明する。
【００１９】
（１）光照射装置の構造
図１に示すように、この光照射装置は、直方体状に形成された筐体を有しており、筐体１の下面から紫外線が照射される。以下では、筐体１の延びる方向を長手方向（図１の紙面に垂直な方向）、それと直交する方向を幅方向（図１の左右方向）と称することとする。但し、この方向の定義は説明の便宜のためであり、発明を限定するものではない。
【００２０】
まず、筐体１の内部構造について説明する。図１に示すように、筐体１の内部は、下方から上方に向かって概ね３つの領域に分かれており、各領域には、上から制御部２、冷却部３、及び紫外線照射部４が配置されている。
【００２１】
制御部２は、後述する紫外線照射部に配置された紫外線ＬＥＤの駆動を制御する制御基板（図示省略）が配置されている。制御基板には、定電流回路が配置されており、電源端子から供給される電力を設定された電流値で各紫外線ＬＥＤに供給する。その他、ＣＰＵ，通信回路、紫外線ＬＥＤの照射時間等の記録を行う回路などが配置されており、紫外線ＬＥＤの駆動を制御するようになっている。なお、制御基板を、この光照射装置の外部に配置することもでき、その場合には、制御部２を設ける必要がないため、装置を小型化することができる。
【００２２】
冷却部３は、紫外線照射部４に配置される紫外線ＬＥＤ４２を冷却するものであり、熱交換を行うための冷却ブロックを備えている。そして、この冷却ブロックの下面には、後述するように、紫外線ＬＥＤ４２が実装される支持基板４１が取り付けられる。冷却部３は、空冷及び水冷のいずれの構造もとることができる。空冷の場合には、冷却ブロックにヒートシンクが取り付けられ、これに空気を供給する空冷ファンを備えることができる。これにより、ヒートシンク、及び冷却ブロックを介して支持基板４１を冷却することができる。一方、水冷の場合には、冷却ブロックに水が通過する溝を形成することができる。これにより、冷却ブロックが水によって冷却され、支持基板４１も冷却される。
【００２３】
紫外線照射部４は、支持基板４１と、これに実装される複数の紫外線ＬＥＤ（発光ダイオードユニット）４２を備えている。また、支持基板４１から下方へ所定距離をあけて汚れ防止版４３が配置される。この汚れ防止板４３は、筐体１の両側において冷却部３から下方へ延びる支持部材４４によって支持されており、紫外線が透過可能な透明な材料、例えば石英ガラス等で形成される。そして、紫外線ＬＥＤ４２と汚れ防止板４３との間の空間に、紫外線ＬＥＤ４２から照射される紫外線を反射するための反射アレイ５が設けられている。
【００２４】
（２）反射アレイの構造
続いて、反射アレイ５について、図２から図４を参照しつつ説明する。図２は支持基板に取り付けられた反射アレイの斜視図、図３は図２のＡ−Ａ線断面図、図４は図２のＢ−Ｂ線断面図である。以下では、紫外線ＬＥＤ４２の列の方向を長手方向（第１の方向）、これと直交する方向を幅方向（第２の方向）と称することがある。但し、以下では、支持基板４１上に反射アレイ５が設けられているとして説明を行うため、上記図１の説明とは上下が反対になる。また、この方向の定義は説明の便宜のためであり、発明を限定するものではない。
【００２５】
図２に示すように、本実施形態においては、１列に５個の紫外線発光ＬＥＤ４２を配置し、これを平行に３列設けている。すなわち、１５個の紫外線ＬＥＤ４２が支持基板４１上に格子状に配置されている。各紫外線ＬＥＤ４２は平面視矩形状に形成されており、その周囲を四方から囲む反射板により構成された反射ユニット５１が設けられている。そして、このような反射ユニット５１の集合体が反射アレイ５を構成している。
【００２６】
まず、各反射ユニット５１について説明する。図５は反射ユニットの概略構成を示す斜視図である。但し、図５に付している符号は反射ユニットのみを説明するためのものであり、図２〜図４とは相違することがある。各反射ユニット５１は、４つの反射板６によって平面視矩形状に形成され、その内部が紫外線ＬＥＤ４１から照射される光が通過する照射空間Ｓを形成している。各反射板６は、支持基板４１から立ち上がるように配置されており、紫外線ＬＥＤ４２に近接する第１端部６１から斜めに傾斜した傾斜部６３を有している。そして、反射板６の中央付近が折り曲げられており、この折り曲げ部と支持基板４１から離れた第２端部６２との間は、支持基板４１に対して垂直に延びる垂直部６４を構成している。４つの反射板６の傾斜部６３によって囲まれる空間は、支持基板４１から離れるにしたがって面積が大きくなるような裾広がりの空間を形成しており、垂直部６４によって囲まれる空間は直方体状に形成されている。このように形成された反射ユニット５１が、各紫外線ＬＥＤ４２に対して設けられている。
【００２７】
上記のような形態を有する反射ユニットを構成する反射アレイは、３種類の板材、つまり第１，第２，及び第３板材１０，２０、３０から形成されている。これらは、反射板として公知の材料、例えば、アルミニウム製のシート材などで形成することができ、例えば、反射率が８５％以上の高いものを用いることが好ましい。以下、これらの板材について、図６〜図８を参照しつつ説明する。図６は第１板材の平面図、図７は第２板材の平面図、図８は第３板材の平面図である。図６に示すように、第１板材１０は、長手方向に隣接する紫外線ＬＥＤ４２の間（第１の隙間）で、幅方向に延びるように配置されるものであり、矩形状の本体部１０１と、この本体部１０１の下端から下方に行くにしたがって幅が狭くなる台形状の３個の傾斜部１０２と、を備えており、各傾斜部１０２は所定間隔をおいて配置されている。第１板材１０の本体部１０１及び傾斜部１０２は、幅方向に並ぶ反射ユニット５１の垂直部６４及び傾斜部６３をそれぞれ構成しており、本体部１０１と傾斜部１０２との境界を折り曲げることで、傾斜部１０２が傾斜するようになっている。また、本体部１０１の両端には、第１板材１０を、後述する第３板材に取り付けるための係止片１０３が設けられている。
【００２８】
図７に示すように、第２板材２０は、幅方向に隣接する紫外線ＬＥＤ４２の間（第２の隙間）及び幅方向の両端で、長手方向に延びるように配置されるものであり、上述した垂直部６４を構成する矩形状の本体部２０１と、この本体部２０１と同じ長手方向の長さを有し、本体部２０１の下端から下方に行くにしたがって幅が狭くなる台形状の傾斜部２０２と、を備えている。第２板材２０の本体部２０１及び傾斜部２０２は、幅方向に並ぶ反射ユニット５１の垂直部６４、及び傾斜部６３をそれぞれ構成しており、本体部２０１と傾斜部２０２との境界を折り曲げることで、傾斜部２０２を傾斜させる。また、本体部２０１には４つのスリット２０３が所定間隔をおいて形成されており、このスリット２０３に、上述した第１板材１０の本体部１０１が嵌め込まれるようになっている。具体的には、第１板材１０の本体部１０１において、傾斜部１０２の間の部分が嵌め込まれる。また、本体部２０１の両端には、第２板材２０を、後述する第３板材３０に取り付けるための係止片２０４が設けられている。
【００２９】
図８に示すように、第３板材３０は、反射アレイ５の長手方向の両端部それぞれに配置されるものであり、反射アレイ５を支持基板４１に固定する役割も果たす。具体的に、第３板材３０は、反射アレイ５の長手方向の両端部それぞれに、幅方向に延びるように配置されるものであり、上述した垂直部６４を構成する矩形状の本体部３０１と、この本体部３０１の下端から下方に行くにしたがって幅が狭くなる台形状の傾斜部３０２と、を備えている。第３板材３０の本体部３０１及び傾斜部３０２は、反射アレイ５の長手方向の両端の垂直部６４、及び傾斜部６３をそれぞれ構成しており、本体部３０１と傾斜部３０２との境界を折り曲げることで、傾斜部３０２を傾斜させる。傾斜部３０２の幅方向の長さは、本体部３０１と同じである。また、本体部３０１の両端には、９０度に折り曲げられて長手方向に延びる支持部３０３が連結されており、支持部３０３の下端にはさらに９０度に折り曲げられて支持基板４１に固定される固定片３０４が連結されている。固定片３０４には貫通孔３０５が形成されており、この貫通孔３０５にネジなどが挿通されて支持基板４１に固定される。また、本体部３０１には、上述した第２板材２０の係止片２０４が係止される係止孔３０６が等間隔に４箇所に形成されており、各支持部３０３には第１板材１０の係止片１０３が係止される係止孔３０７が１個ずつ形成されている。
【００３０】
続いて、上記３つの板材１０，２０，３０を組み合わせて反射アレイ５を作製する方法について説明する。本実施形態のような１５個の紫外線ＬＥＤ４２に対する反射アレイを作成する場合、上述した第１板材を８枚、第２板材を６枚、第３板材を２枚用いて、図２に示す反射アレイ５を形成する。第１板材１０は、２枚ずつ重ね合わせて紫外線ＬＥＤ４２の間に配置する。すなわち、各第１板材１０の本体部１０１が互いに当接し、傾斜部１０２が互いに離れつつ傾斜するように重ね合わせる。こうして、重ね合わされた第１板材１０を４組準備し、平行に配置する。また、第２板材２０については、次のように準備する。まず、反射アレイ５の幅方向の両側に配置する第２板材２０は、そのまま用い、傾斜部２０２が紫外線ＬＥＤ４２側を向くように配置する。そして、紫外線ＬＥＤ４２の間に配置するものは第１板材１０と同様に２枚ずつ重ね合わせて使用する。こうして、形成された第２板材２０のスリット２０３に第１板材１０を嵌め込んでいく。すなわち、第１板材１０の本体部１０１において、傾斜部１０２の間の部分を第２板材２０のスリット２０３に嵌め込む。また、第１板材１０における本体部１０１の両端部は、反射アレイ５の幅方向の両側の第２板材２０のスリット２０３に嵌め込む。最後に、第３板材３０を長手方向の両端に取り付ける。このとき、傾斜部３０２が紫外線ＬＥＤ４２側を向くように配置し、各第２板材２０の両端部に設けられた係止片２０４を、第３板材３０の係止孔３０６にさせる。また、折り曲げられた支持部３０３を、両側に配置された第２板材２０に当接させ、長手方向の端部に配置された第１板材１０の係止片１０３を支持部３０３の係止孔３０７に係止させる。こうして、１５個の照射空間Ｓが形成された反射アレイが完成する。その後、この反射アレイを支持基板４１に取り付ける。すなわち、第３板材３０の固定片３０４を支持基板４１にネジ止めする。
【００３１】
（３）光照射装置の特徴
以上のように、本実施形態によれば、各紫外線ＬＥＤ４２を矩形状に四方から囲む４つの反射板（反射面）を備えているため、各紫外線ＬＥＤ４２から照射される光を効果的に集光することができる。そのため、上記のように、紫外線ＬＥＤ４２を長手方向に並べたときには、有利である。この場合、紫外線ＬＥＤ４２の列の中央付近は、隣接する紫外線ＬＥＤ４２または紫外線ＬＥＤ４２からの斜めに照射される光が重なり合うため、照度が高くなるが、列の端部付近では重なり合う光が少なくなるため、照度が低下する傾向にある。これに対して、本実施形態では、紫外線ＬＥＤ４２が四方から囲まれているため、放射状に照射される光を反射し、各紫外線ＬＥＤ４２と対向する位置に確実に集光することが可能となる。したがって、列の端部付近でも照度が低下せず、その結果、照度のムラを低減することができる。
【００３２】
（４）変形例
以上、本発明の一実施形態について説明したが、本発明の具体的な態様は、上記実施形態に限定されるものではない。
【００３３】
上記実施形態では、複数の板材を用いて反射アレイを作製したが、これに限定されるものではなく、例えば、図９に示すように、樹脂によって複数の反射ユニット５１を一体的に成形し、各反射ユニットの内壁面を反射率の高い金属等でメッキすることで、反射アレイを形成することができる。そして、この反射アレイをネジ止めなどの手段を用いて基板に装着すればよい。
【００３４】
また、図１０（ａ）に示すように、板材５０によって４つの反射板を有する反射ユニット５１を作製し、これを図１０（ｂ）のような支持板６０に取り付けることもできる。この支持板６０には、複数の矩形状の貫通孔６０１が格子状に形成されており、反射板において、紫外線ＬＥＤ側の端部を貫通孔６０１に挿入し、図１０（ｃ）に示すように、挿入された端部を折り曲げて加締めることで、貫通孔６０１に反射ユニット５１を固定する。
【００３５】
また、反射ユニット５１は種々の構成が可能であり、上記のように一つの傾斜部６３と一つの垂直部６４で構成する以外に、複数箇所で折り曲げて複数の傾斜部や垂直部を形成することもできるし、傾斜部のみまたは垂直部のみで形成することもできる。
【００３６】
また、上記実施形態では、本発明の発光ダイオードユニットが一つの発光ダイオード素子（紫外線ＬＥＤ）で形成されている例を説明したが、発光ダイオードユニットは、複数の発光ダイオード素子で形成してもよい。例えば、図１１の例では、隣接する２つの発光ダイオード素子８１により発光ダイオードユニット８が形成されており、これに反射ユニット５１を取り付けている。すなわち、この例では、４つの発光ダイオードユニット８を設け、それぞれに反射ユニット５１を設けている。これにより、反射板アレイ５は、４つの反射ユニット５１により構成されている。これ以外にも、発光ダイオードユニットは、隣接する３以上の発光ダイオードユニットで構成することができ、これに合わせて、４つの反射板を有する反射ユニットを構成すればよい。
【００３７】
さらに、反射ユニット５１は、４つの反射板以外で構成されていてもよく、図１２に示すように、５つ（ａ）、３つ（ｂ）などの数の反射板で構成することもできる。隣接する反射ユニット５１は、ネジ、接着剤など公知の方法で接続することができる。また、隣接する反射ユニット５１間では、共通の反射板を用いることもできる。すなわち、一枚の反射板の両面をそれぞれ反射面とすることができる。さらに、発光ダイオード素子または発光ダイオードユニット８の外形も、上述したような矩形状以外でもよく、円形、多角形状であってもよく、これを囲むように、反射ユニットを構成すればよい。
【００３８】
また、上記光照射装置は、例えば、印刷物のインクを乾燥させるための紫外線の照射装置として用いることができるが、紫外線を照射できるものであれば、これ以外の用途でも使用可能である。また、上記実施形態では、紫外線を照射する紫外線ＬＥＤ４２を用いていたが、この構成に限定されず、紫外線ＬＥＤ４２に替えて、他の波長域の光を発する発光ダイオードを用いることもできる。例えば、可視光を発光する発光ダイオードを、紫外線ＬＥＤ４２に替えて使用することができる。また、光照射装置は、図１に示すものに限定されず、紫外線を照射できるものであれば、特には限定されない。
【実施例】
【００３９】
以下、本発明の実施例について説明する。但し、本発明は以下の実施例に限定されない。ここでは、実施例及び比較例を用い、シミュレーションによって照射対象物が受ける照度を算出した。
【００４０】
まず、実施例として、図１３に示すような支持基板、反射アレイを準備した。図１３（ａ）は実施例の斜視図、図１３（ｂ）は長手方向の断面図、図１３（ｃ）は幅方向の断面図である。各図に付された数字の単位はｍｍである。同図に示すように、実施例においては、支持基板上に３０個の紫外線ＬＥＤを配置するとともに、各紫外線ＬＥＤを囲むような反射アレイを取り付けている。この反射アレイの具体的な構成は、上記実施形態で示したとおりである。各紫外線ＬＥＤの出力は４Ｗであり、１０ｍｍのピッチで支持基板上に配置されている。反射アレイの上端部には、汚れ防止板としての厚さが２ｍｍのガラスを配置しており、このガラスから２５ｍｍ離れた位置の照度を算出した。なお、反射アレイを構成する材料は、株式会社マテリアルハウス社製  アルミ蒸着  高反射アルミシートMIRO-2 LCD（反射率９５％）とした。また、ガラスは、透過率が９８％のものを使用した。
【００４１】
比較例として、図１４に示すような支持基板を準備した。図１４（ａ）は比較例の斜視図、図１４（ｂ）は長手方向の断面図、図１４（ｃ）は幅方向の断面図である。各図に付された数字の単位はｍｍである。同図に示すように、この比較例では、実施例と同様に、支持基板上に３０個の紫外線ＬＥＤを配置し、各紫外線ＬＥＤ上にシリコンレンズを配置した。そして、各シリコンレンズの上方に、実施例と同様のガラスを配置し、このガラスから２５ｍｍ離れた位置の照度を計算した。なお、シリコンレンズの透過率は９０％である。
【００４２】
シミュレーション結果は、図１５及び図１６に示すとおりである。図１５（ａ）は、実施例における照射方向の断面の出力の結果であり、図１５（ｂ）は、被照射面における照度を色によって示している。これらによれば、反射アレイを設けることで、紫外線ＬＥＤから離れても照度が弱まらず、狭い範囲に集光できていることが分かる。一方、図１６（ａ）は、比較例における照射方向の断面の出力の結果であり、図１６（ｂ）は、比較例における被照射面における照度を色によって示しているが、光が広い範囲に照射されており、強い光を集光できていないことが分かる。
【符号の説明】
【００４３】
１０  第１板材
２０  第２板材
３０  第３板材（第１の板材）
４１  支持基板（基板）
４２  紫外線ＬＥＤ（発光ダイオード）
５１  反射ユニット
【図１】
2013171874.tif 000003
【図６】
2013171874.tif 000004
【図７】
2013171874.tif 000005
【図８】
2013171874.tif 000006
【図１１】
2013171874.tif 000007
【図１２】
2013171874.tif 000008
【図２】
2013171874.tif 000009
【図３】
2013171874.tif 000010
【図４】
2013171874.tif 000011
【図５】
2013171874.tif 000012
【図９】
2013171874.tif 000013
【図１０】
2013171874.tif 000014
【図１３】
2013171874.tif 000015
【図１４】
2013171874.tif 000016
【図１５】
2013171874.tif 000017
【図１６】
2013171874.tif 000018